(57)【特許請求の範囲】
【請求項１】
パネル外周フレームの下辺を構成するフレーム材を、水切片が一体に延出した水切付きフレーム材とし、前記水切付きフレーム材が鋼板のロール成形品であり、前記水切付きフレーム材が、中空形状のフレーム材本体と、このフレーム材本体の屋外面下端から、屋外側でかつ下方へ延びた水切片とでなり、この水切片は、前記フレーム材本体の屋外面形成部分および下面形成部分から各々一体に延びる板部が互いに重なった二重板状のものである外壁パネルフレーム。
【請求項２】
請求項１に記載の外壁パネルフレームに、外装面材を張り付けた外壁パネル。
【発明の詳細な説明】
【０００１】
【発明の属する技術分野】
この発明は、住宅やその他の建物に用いられる外壁パネルフレームおよび外壁パネルに関する。
【０００２】
【従来の技術】
従来、図５のように、軽量形鋼製のパネル外周フレーム１２の屋外面側に外装面材１３を張り付けた外壁パネル１１が用いられている。この外壁パネル１１は、現場で取付施工するときに、上下に並ぶ外壁パネル１１，１１間の横目地部をシーリング材１４で詰め、防水をしていた。
また、図６のように、現場において、パネル外周フレーム１２に外装面材１３を張り付けて外壁パネル１１を構成する場合もあるが、この場合、上下の外壁パネル１１，１１間の目地部の防水は、外装面材１３の取付け前にパネル外周フレーム１２の下辺の前面に金属製の水切片１６をビス１５で取付けることにより行っていた。
【０００３】
【発明が解決しようとする課題】
しかし、図５のように、外壁パネル１１の目地部を、シーリング材１４を詰めて防水するものでは、シーリング材１４が耐久限界を超えた場合や、施工不良によりシーリング材１４に切れ目が生じた場合に、防水機能が働かなくなるという問題点がある。
また、図６のように、水切片１６で防水するものでは、現場で水切片１６を取付ける工程が必要で施工が煩雑になるばかりか、外装面材１３をパネル外周フレーム１２に取付けるとき、水切片１６をパネル外周フレーム１２に取付けているビス１５の頭部が外装面材１３を浮かせることになり、そのため外装面材１３が割れたりする場合が有る。
【０００４】
この発明の目的は、水切片の取付けの手間が不要で施工性が良く、また外装面材の割れの問題がなく、下辺の横目地の防水機能の耐久性にも優れた外壁パネルフレームおよび外壁パネルを提供することである。
【０００５】
【課題を解決するための手段】
この発明の外壁パネルフレームは、パネル外周フレームの下辺を構成するフレーム材を、水切片が一体に延出した水切付きフレーム材としたものである。
この構成によると、外壁パネルの取付施工において、上下に並ぶ外壁パネルの横目地部を防水する水切片を、別途に取付ける作業が不要で、施工が簡単になる。また、水切片を取付けるビスを用いないため、ビス頭による外装面材の破損の恐れもない。また、シーリング材と異なり、水切片を用いるため、金属製とするなど、耐久製の高い材質とでき、防水機能の十分な耐久性を持たせることができる。
【０００６】
上記構成において、前記水切付きフレーム材を、鋼板のロール成形品としている。この構成の場合、水切片が一体となって延出する水切付きフレーム材を容易に成形することができる。
また、上記構成において、前記水切付きフレーム材は、中空形状のフレーム材本体と、このフレーム材本体の屋外面下端から、屋外側でかつ下方へ延びた水切片とでなるものとし、この水切片は、前記フレーム材本体の屋外面形成部分および下面形成部分から各々一体に延びる板部が互いに重なった二重板状のものとしている。この構成の場合、水切付きフレーム材を軽量に形成でき、かつ水切片に十分な強度を持たせることもでき、また水切付きフレーム材の製造も容易である。
【０００７】
この発明の外壁パネルは、上記構成の外壁パネルフレームに、外装面材を張り付けたものである。
この構成の場合も、現場での水切片と取付施工が不要で、施工性が良く、また外装面材の割れの問題が生じず、防水機能の耐久性も十分に持たせることができる。
【０００８】
【発明の実施の形態】
この発明の一実施形態を図１および図２と共に説明する。
図１（Ａ），（Ｂ）に縦断面図および裏面図で示すように、この外壁パネル１は、外壁パネルフレームであるパネル外周フレーム２に外装面材３を張り付けたものである。外装面材３はセメント板やスレート板等からなる。パネル外周フレーム２は、上下左右の各辺を構成するフレーム材４〜７を方形に接合したものである。各フレーム材４〜７は、軽量形鋼製のものであり、いずれも中空形状としてある。なお、パネル外周フレーム２に中桟を設けて外壁パネルフレームとしてもよい。中桟は、パネル外周フレーム２の各辺のフレーム材４〜７と同様な金属製のものであっても、また木製のものであってもよい。
【０００９】
下辺を構成するフレーム材５は、鋼板のロール成形品からなり、屋外側に水切片５ｂが一体に延出した水切付きフレーム材とされる。すなわち、このフレーム材５は、中空形状のフレーム材本体５ａと、このフレーム材本体５ａの屋外面下端から、屋外側でかつ下方へ延びた水切片５ｂとでなる。水切片５ｂは、フレーム材本体５ａの屋外面形成部分５ａ1 および下面形成部分５ａ2 から各々一体に延びる板部５ｂ1 ，５ｂ2 が互いに重なった二重板状とされている。これにより、水切片５ｂに十分な強度を持たせることができる。また、このように薄板のロール成形品とし、水切片５ｂを二重板状とすることで、水切付きフレーム材５を容易にかつ軽量に成形できる。水切片５ｂの断面形状は、屋外側下方へ延びる傾斜部分から、さらに垂直に下方へ延びる立ち下がり部分が延びるように、く字形に屈曲した形状とされているが、その傾斜部分および立ち下がり部分の寸法は、外壁パネル１の各部の構成に応じて、防水機能が十分に発揮できるように適宜設計される。
【００１０】
この構成の外壁パネル１は、パネル外周フレーム２を、鉄骨柱や梁等の建物躯体にボルト止め等で接合することにより設置される。この場合に、図２のように、上側の外壁パネル１の下端の水切片５ｂが、下側の外壁パネル１の上端の前方に重なるように設置される。これにより、上下に隣り合う外壁パネル１，１間の横目地部６が水切片５ｂによって防水される。
この外壁パネル１によると、このように、取付施工時に水切片を取付ける作業が不要であるため、施工を簡単に行うことができる。また、ビスで水切片を取付けないので、ビス頭部で外装面材３が浮き上がって割れることもない。さらに、シーリング材と異なり、水切片５ｂで防水を行うため、耐久性も高い。
なお、この外壁パネル１は、外装面材３の張付けを残した状態に工場生産し、現場でパネル外周フレーム２の建込みが完了した後に、外装面材３を張るようにしても良い。
【００１１】
図３（Ａ），（Ｂ）は他の実施形態の外壁パネルの縦断面図および裏面図を示す。この実施形態の外壁パネル１は、図１の実施形態におけるパネル外周フレーム２の上辺を構成するフレーム材４および下辺を構成するフレーム材５を次の形状としたものである。すなわち、上辺のフレーム材４は、その上面の屋内側部分に上方に突出する後方突部４ａを有するものとする。下辺の水切付きフレーム材５は、下面形成部分５ａ2 の屋内側部分に、上方に凹陥する後方凹部５ｃを有するものとする。上辺のフレーム材４も、水切付きフレーム材５と同様に薄い鋼板のロール成形品からなる。その他の構成は、上記実施形態と同じである。
【００１２】
この外壁パネル１も、パネル外周フレーム２を、例えば鉄骨柱や鉄骨梁等の建物躯体にボルト締めすることにより、下のパネルから上のパネルへと順次設置するが、上側の外壁パネル１を取付けるときに、下側の外壁パネル１の水切付きフレーム材５の後方凹部５ｃと、上側の外壁パネル１の上辺フレーム材４の後方突部４ａとの間にガスケット７を介在させる。また、下側の外壁パネル１の外装面材３の上端前面と、これに重なる上側の外壁パネル１の水切片５ｂとの間には、シーリング材８を介在させる。さらに、必要に応じて、外装面材３の下端と水切片５ｂとの間にできる隙間にもシーリング材９を詰める。
このようにすることにより、上下の外壁パネル１，１間にできる横目地部６をより確実に防水できる。
【００１３】
【発明の効果】
この発明の外壁パネルフレームは、パネル外周フレームの下辺を構成するフレーム材を、水切片が一体に延出した水切付きフレーム材としたため、外壁パネルの取付け施工において、隣り合う外壁パネルの横目地部を防水する水切片を、別途、取付ける作業が不要で、施工が簡単になる。また、水切片を取付けるビスが不要で、ビス頭で外装面材を破損する恐れがない。さらに、防水機能の耐久性が向上する。
上記外壁パネルフレームにおいて、水切付きフレーム材を、鋼板のロール成形品としたため、この水切付きフレーム材を容易に成形することができる。
また、上記外壁パネルフレームにおいて、水切付きフレーム材が、中空形状のフレーム材本体と、このフレーム材本体の屋外面下端から、屋外側でかつ下方へ延びた水切片とでなり、この水切片は、前記フレーム材本体の屋外面形成部分および下面形成部分から各々一体に延びる板部が互いに重なった二重板状のものであるため、水切付きフレーム材を軽量で堅固なものに形成でき、その成形も容易に行える。
また、この発明の外壁パネルは、上記構成の外壁パネルフレームに、外装面材を張り付けたものであるため、施工が容易で、外装面材の割れ等の問題がなく、また防水機能の耐久性にも優れる。
【図面の簡単な説明】
【図１】（Ａ）はこの発明の一実施形態に係る外壁パネルの縦断面図、（Ｂ）は同裏面図である。
【図２】同外壁パネルが上下に隣り合う横目地部の縦断面図である。
【図３】（Ａ）はこの発明の他の実施形態に係る外壁パネルの縦断面図、（Ｂ）は同裏面図である。
【図４】同外壁パネルが上下に隣り合う横目地部の縦断面図である。
【図５】従来例の縦断面図である。
【図６】他の従来例の縦断面図である。
【符号の説明】
１…外壁パネル                                ５ａ2 …下面形成部分
２…パネル外周フレーム（外壁パネルフレーム）  ５ｂ…水切片
３…外装面材                                  ５ｂ1 ，５ｂ2 …板部
４…上辺フレーム材                            ５ｃ…後方凹部
４ａ…後方突部                                    ６…横目地部
５…下辺フレーム材（水切付きフレーム材）        ７…ガスケット
５ａ…フレーム材本体                              ８…シーリング材
５ａ1 …屋外面形成部分
【図１】
0003970408.tif 000002
【図２】
0003970408.tif 000003
【図３】
0003970408.tif 000004
【図４】
0003970408.tif 000005
【図５】
0003970408.tif 000006
【図６】
0003970408.tif 000007